(57)【特許請求の範囲】
【請求項１】
タブ部が上から下に順番に並んでいる降順型のタブ紙束がセットされた第１給紙部とタブ部が下から上に順番に並んでいる昇順型のタブ紙束がセットされた第２給紙部を備える画像形成システムであって、
ジョブを受信する受信手段と、
受信したジョブから印刷設定情報を取得する取得手段と、
取得された印刷設定情報にタブ紙印刷の命令があったならば、画像向きと綴じ位置を検出する検出手段と、
検出された画像向きと綴じ位置の関係から印刷に使用されるタブ紙の並び順として昇順タイプまたは降順タイプを決定する決定手段と、
前記決定手段で前記昇順タイプが決定された場合、昇順タイプのタブ紙がセットされた第１給紙部からタブ紙を給紙し、前記決定手段で前記降順タイプが決定された場合、降順タイプのタブ紙がセットされた第２給紙部からタブ紙を給紙する給紙手段と、
を有することを特徴とする画像形成システム。
【請求項２】
前記画像向きとは、印刷データの上または下を表す向きであることを特徴とする請求項１記載の画像形成システム。
【請求項３】
前記綴じ位置とは、印刷データの綴じ代の位置であることを特徴とする請求項１記載の画像形成システム。
【請求項４】
給紙部を選択する選択手段と、
前記選択された給紙部に割り当てられる用紙タイプを設定する設定手段と、
前記設定手段によってタブ紙が設定された場合、前記選択された給紙部にセットされるタブ紙の耳順を設定する耳順設定手段を更に備えることを特徴とする請求項１乃至３のいずれか１項に記載の画像形成システム。
【請求項５】
タブ部が上から下に順番に並んでいる降順型のタブ紙束がセットされた第１給紙部とタブ部が下から上に順番に並んでいる昇順型のタブ紙束がセットされた第２給紙部を備える画像形成システムの制御方法であって、
ジョブを受信する受信ステップと、
受信したジョブから印刷設定情報を取得する取得ステップと、
取得された印刷設定情報にタブ紙印刷の命令があったならば、画像向きと綴じ位置を検出する検出ステップと、
検出された画像向きと綴じ位置の関係から印刷に使用されるタブ紙の並び順として昇順タイプまたは降順タイプを決定する決定ステップと、
前記決定ステップで前記昇順タイプが決定された場合、昇順タイプのタブ紙がセットされた第１給紙部からタブ紙を給紙し、前記決定ステップで前記降順タイプが決定された場合、降順タイプのタブ紙がセットされた第２給紙部からタブ紙を給紙する給紙ステップと、を有することを特徴とする画像形成システムの制御方法。
【発明の詳細な説明】
【技術分野】
【０００１】
本発明は印刷媒体に応じた画像形成を行う画像形成システム及びその制御方法等に関する。
【背景技術】
【０００２】
従来商業印刷業界では、顧客やクライアントから印刷物（雑誌、新聞、カタログ、広告、グラビア等）の作成依頼を受注し、クライアントの所望の印刷物を作成し、それをクライアントに納品することでクライアントから報酬を得ている。この業界では、現在でもオフセット製版印刷機などの大規模な印刷装置等を用いているのが主流である。そのため印刷業界では、入稿、デザインやレイアウト、カンプ（プリンタ出力によるプレゼンテーション）、校正（レイアウト修正や色修正）、校正刷り（プルーフプリント）、版下作成、印刷、後処理加工、発送といった様々な工程が確立されている。この工程の中でもっとも重要な工程は版下作成工程であり、一度版下を作成すると修正は容易でなく、またコスト的にかなり不利になってしまうため、入念な校正、即ちレイアウトのチェックや色の確認作業が必須である。そしてこのような大掛かりな装置と作業工程を必要とするため、クライアントが所望する印刷物を作成するには、ある程度の時間が必要であった。
【０００３】
一方で、電子写真方式の印刷装置やインクジェット方式の印刷装置の高速化、高画質化に伴い、上記のような印刷業界に対抗して、プリント・オン・ディマンド（Ｐｒｉｎｔ  Ｏｎ  Ｄｅｍａｎｄ：以下、ＰＯＤと表記する。）と呼ばれるデジタル複写機やデジタル複合機等のデジタル画像形成装置を用いた印刷市場も伸びている。この市場では比較的小ロットのジョブを、大掛かりな印刷装置や印刷システムを用いずに、短い納期で取り扱うことを目指している。そのため前記商業印刷の印刷手法に取って代わって、電子データを用いたデジタルプリントが普及してきた。このような背景の中で、プリンタやデジタル複写機は、商業印刷業界でよく利用する機能と同等の機能をもつことを要望されている。
下記特許文献１では、タブ紙と呼ばれる見出し部分をもつシート（以下、タブ紙と記す）に見出しを印刷し、それを出力物の所望の位置に差し込む装置およびその方法が記載されている。
【先行技術文献】
【特許文献】
【０００４】
【特許文献１】特開２００４−０５８５０８号公報
【特許文献２】特開平１１−２９２３２８号公報
【発明の概要】
【発明が解決しようとする課題】
【０００５】
しかしながら前記従来技術おいては、予め決まったタブ紙束（たとえばタブ紙の見出し部分が上から下に順番に並んでいる昇順型タブ紙の束やタブ紙の見出し部分が下から上に順番に並んでいる降順型タブ紙の束（以下、昇順型タブ紙束と降順型タブ紙束と記す）を準備し、それに印刷するという前提条件がある。そのため、印刷物の連続印刷には不向きであり、印刷ジョブ毎に印刷用紙の再設定が必要という課題がある。また連続印刷するために、デジタル画像形成装置内に昇順型タブ紙束と降順型タブ紙束の両方が保持された場合、自動用紙選択の設定において給紙すると誤ったタブ紙束を給紙してしまうという課題がある。
【０００６】
また印刷途中でタブ紙束がなくなってしまった場合、「タブ紙」というキーワードで画像形成装置内の給紙段を検索するため、誤ったタブ紙束を継続給紙してしまうという課題もある。これらを解決し操作性の向上を図ることが要望されている。
【課題を解決するための手段】
【０００７】
上記課題を解決するため、タブ部が上から下に順番に並んでいる降順型のタブ紙束がセットされた第１給紙部とタブ部が下から上に順番に並んでいる昇順型のタブ紙束がセットされた第２給紙部を備える画像形成システムは、ジョブを受信する受信手段と、受信したジョブから印刷設定情報を取得する取得手段と、取得された印刷設定情報にタブ紙印刷の命令があったならば、画像向きと綴じ位置を検出する検出手段と、検出された画像向きと綴じ位置の関係から印刷に使用されるタブ紙の並び順として昇順タイプまたは降順タイプを決定する決定手段と、前記決定手段で前記昇順タイプが決定された場合、昇順タイプのタブ紙がセットされた第１給紙部からタブ紙を給紙し、前記決定手段で前記降順タイプが決定された場合、降順タイプのタブ紙がセットされた第２給紙部からタブ紙を給紙する給紙手段と、を有することを特徴とする。
【発明の効果】
【０００９】
本発明によれば、ユーザがタブ紙を用いた複雑な出力物を作成する場合、画像形成装置内に保持されているタブ紙束の種類を自動選択できるため、印刷データに合った正しいタブ紙束を給紙することができる。
【図面の簡単な説明】
【００１０】
【図１】システム全体を示す図である。
【図２】印刷環境１０３の構成を示すブロック図である。
【図３】操作部２０５の構成を示す平面図である。
【図４】タブ紙登録設定１を示す図である。
【図５】タブ紙登録設定２を示す図である。
【図６】複写モードにおけるタブ紙印刷設定１を示す図である。
【図７】用紙なし表示を示す図である。
【図８】タブ紙判定処理を示す図である。
【図９】タブ紙登録を示すフロー図である。
【図１０】タブ紙印刷を示すフロー図である。
【図１１】出力結果を示す図。
【図１２】クライアント環境１０４におけるプリンタ印刷設定を示す図である。
【図１３】プリンタ出力方式におけるタブ紙印刷を示すフロー図である。
【図１４】プリンタ出力方式における出力結果を示す図。
【図１５】応用印刷設定２を示す図である。
【図１６】差込タブ紙印刷を示すフロー図である。
【図１７】差込タブ紙印刷方式における出力結果を示す図。
【発明を実施するための形態】
【００１１】
（実施例１）
以下、本発明を実施するための最良の形態について図面を用いて説明する。図１は、本システム全体を示す図である。本システムは、一つまたは複数のエンドユーザ環境１０１と、ネットワーク１０２を介して接続している印刷環境１０３から成っている。さらにエンドユーザ環境１０１は、クライアントＰＣ（ここでは、エンドユーザ環境Ａ  １０４及び、エンドユーザ環境Ｂ  １０５）から構成している。印刷環境１０３は、原稿読取装置を備えた画像形成装置１０６から構成される。エンドユーザ環境Ａ１０４及びエンドユーザ環境Ｂ１０５は、ユーザが原稿データを作成・出力や出力中の原稿データの出力状況確認、原稿訂正などをする。一方、画像形成装置１０６は、入力方法として、原稿読取装置から読み取った紙原稿を文書／画像データとして取り込む方法とエンドユーザ環境１０１で作成した原稿データを受信する方法を持つ。出力方法としては、画像形成装置１０６内に保持している原稿データを出力する際に、画像補正やファイルのマージやページの挿入／削除や各種ページレイアウト編集や面付け処理をする機能をもつ。また出力と同時に、印刷ジョブ中の作業指示に従って、出力された記録メディアに対して、紙折り、中綴じ製本、くるみ製本、断裁、封入、帳合等の仕上げ処理をする機能をもつ。エンドユーザ環境１０１および原稿読取装置を備えた画像形成装置１０６にユーザが作成した原稿データを投入することによって成果物が出力される。
【００１２】
［印刷環境１０３のシステム構成］
図２は、印刷環境１０３の構成を示すブロック図である。印刷環境１０３はスキャン部２０１、本体制御部２０２、ＰＤＬ処理部２０３、画像出力部２０４、操作部２０５から構成している。さらにスキャン部２０１は原稿給紙ユニット２０６と原稿読取部２０７から構成している。画像出力部２０４は排紙部２０８、給紙部２０９、画像形成部２１０から構成している。スキャン部２０１はユーザが原稿給紙ユニット２０６に置いた原稿を、操作部２０５から入力された複写・画像形成の指示に従い、原稿読取部２０７を使って原稿を読み取る。本体制御部２０２はスキャン部２０１や画像出力部２０４の駆動制御を行う。また後述する各種モードを実行するためのプログラムを制御する機能をもつ。ＰＤＬ処理部２０３は、エンドユーザ環境１０１で作成されたＰＤＬ（Ｐａｇｅ  Ｄｅｓｃｒｉｐｔｉｏｎ  Ｌａｎｇｕａｇｅ：以下、ＰＤＬと表記する。）データを受信した場合、そのＰＤＬデータから印刷データを生成する。画像出力部２０４は、スキャン部２０１で読み取った原稿／画像データやＰＤＬ処理部２０３で生成した印刷データを出力する際に、データに付随する作業指示に従って、画像補正やファイルのマージやページの挿入／削除や各種面付け処理をする。そして排紙部２０８、給紙部２０９を動作させ記録メディアに出力し、同時に作業指示に従って、記録メディアに対して紙折り、中綴じ製本、くるみ製本、断裁、封入、帳合等の仕上げ処理をする。操作部２０５は、本発明の画像形成装置１０６の操作部である。この操作部２０５から入力されたキー情報を本体制御部２０２に送り、画像形成装置１０６はシステム全体の制御をする。
【００１３】
［操作部２０５の構成］
図３は、操作部２０５の構成を示す平面図である。図３において、３０１はテンキーであり、コピーの置数や画像の移動量、設定値の入力に使用する。３０２はスタートキーであり、コピーのスタートやその他各種機能のスタートキーに使用する。３０３はユーザモードキーであり、画像形成装置１０６の標準モードに追加する各種設定を選択するために使用する。３０４はＬＣＤ（Ｌｉｑｕｉｄ  ｃｒｙｓｔａｌ  ｄｉｓｐｌａｙ：以下、ＬＣＤと表記する）画面であり、表面にタッチパネル機能を備え、印刷ジョブのモード付加や装置全体の動作状況を表示する。
【００１４】
［ユーザモードにおけるタブ紙印刷設定］
図４〜図５は、印刷環境１０３におけるタブ紙登録設定を示す図である。図４（ａ）は印刷環境１０３におけるタブ紙登録設定を示す詳細画面である。タブ紙登録設定を示す詳細画面は、各種設定がグループごとにまとめられてあり、設定項目一覧４０１とその選択ボタンである用紙種登録設定キー４０２で構成している。用紙種登録設定キー４０２が押されたことを本体制御部２０２が検出することによって、記録メディアの登録が開始し、本体制御部２０２は操作部２０５の画面を後述する図４（ｂ）のタブ紙給紙段選択設定の詳細画面に移動させる。
【００１５】
図４（ｂ）はタブ紙給紙段選択設定の詳細画面である。詳細画面は給紙設定項目一覧４０３、画像形成装置１０６内の給紙段ユニットを示すキー４０４、給紙段ユニット番号４０５、給紙段ユニット内の用紙残量表示４０６、給紙段ユニット内の用紙種表示４０７、給紙段ユニット内の用紙サイズ４０８から構成している。給紙設定項目一覧４０３は給紙段ユニットの一覧を表示する。キー４０４は給紙段ユニット番号４０５、給紙段ユニット内の用紙残量表示４０６、給紙段ユニット内の用紙種表示４０７、給紙段ユニット内の用紙サイズ４０８を表示する。給紙段ユニット内の用紙残量表示４０６と給紙段ユニット内の用紙サイズ４０８は、記録メディアが給紙段ユニットに設置されたときに、給紙段ユニット内のセンサによって、記録メディアを計測し、その値を表示する。ユーザによってキー４０４が押されたとき、本体制御部２０２はそれ検知し、所望の給紙段ユニットに用紙種を割り当てる作業を開始する。そしてキー４０４が押されたことを本体制御部２０２が検知することによって、本体制御部２０２は操作部２０５の画面を後述する図４（ｃ）の用紙種登録設定を示す詳細画面に移動する。
【００１６】
図４（ｃ）は用紙種登録設定を示す詳細画面である。用紙種登録設定を示す詳細画面は用紙種登録選択画面一覧４０９と割り当てが可能な紙種４１０から構成している。用紙種登録選択画面一覧４０９は登録可能な用紙種を表示する。ユーザによって用紙種４１０が選択されたことを検出したとき、本体制御部２０２は給紙段ユニットに用紙種を割り当てる。本体制御部２０２は操作部２０５の画面を後述する図４（ｄ）のタブ紙耳数登録設定を示す詳細画面に移動する。
【００１７】
図４（ｄ）はタブ紙耳数登録設定を示す詳細画面である。タブ紙耳数登録設定を示す詳細画面はタブ紙耳数登録画面４１１と入力値を示す耳数表示４１２と、入力キー４１３と設定確定キー４１４から構成している。タブ紙耳数登録画面４１１はタブの耳数入力画面である。ユーザが入力キー４１３を使って入力したタブ耳数情報を検出し、本体制御部２０２はタブ紙の耳情報として登録する。そして設定確定キー４１４が押されたのを検出すると、本体制御部２０２は操作部２０５の画面を図５（ａ）のタブ紙耳幅登録設定の詳細画面に移動する。
【００１８】
図５（ａ）はタブ紙耳幅登録設定を示す詳細画面である。タブ紙耳幅登録設定を示す詳細画面はタブ紙耳幅登録画面５０１と入力値を示す耳幅表示５０２と、入力キー５０３と設定確定キー５０４から構成している。タブ紙耳幅登録画面５０１はタブの耳幅入力画面である。ユーザが入力キー５０３を使って入力したタブ耳幅情報を検出し、本体制御部２０２はタブ紙の耳情報として登録する。そして設定確定キー５０４が押されたのを検出すると、本体制御部２０２は操作部２０５の画面を図５（ｂ）のタブ紙耳順登録設定の詳細画面に移動する。
【００１９】
図５（ｂ）はタブ紙耳順登録設定を示す詳細画面である。タブ紙耳順登録設定を示す詳細画面はタブ紙耳順登録画面５０５と入力キー５０６と設定確定・終了キー５０７から構成している。タブ紙耳順登録画面５０５はタブの耳順入力画面である。ユーザが入力キー５０６を使って入力したタブ耳順情報を検出し、本体制御部２０２はタブ紙の耳情報として登録する。そして設定確定・終了キー５０７が押されたのを検出すると、本体制御部２０２は登録を終了する。
【００２０】
［複写モードにおけるタブ紙印刷設定］
図６〜図７は、複写モードにおけるタブ紙印刷設定を示す図である。図６（ａ）はコピー印刷設定の詳細画面である。コピー印刷設定の詳細画面は、標準画面６０１と応用モードボタン６０２から構成している。標準画面６０１は複写モードの設定画面である。ユーザが応用モードボタン６０２を押すことを検出することによって、本体制御部２０２は特殊印刷を設定を行う画面を表示する。応用モードボタン６０２が押されたことを検出することによって本体制御部２０２は操作部２０５の画面を後述する図６（ｂ）の応用印刷設定の詳細画面に移動する。
【００２１】
図６（ｂ）は応用印刷設定を示す図である。応用印刷設定の詳細画面は応用モード画面６０３とタブ紙印刷設定キー６０４から構成している。応用モード画面６０３は画像補正やファイルの合成、ページの挿入／削除、各種ページレイアウト編集、面付け処理等の詳細設定ボタンから構成している。その中でタブ紙印刷設定キー６０４が押されたことを本体制御部２０２が検出すると、タブ紙の各種詳細設定を行う画面を表示する。タブ紙印刷設定キー６０４が押されたことが検出されると、本体制御部２０２は操作部２０５の画面を後述する図６（ｃ）のタブ紙印刷設定の詳細画面に移動する。
【００２２】
図６（ｃ）はタブ紙印刷設定の詳細画面である。タブ紙印刷設定の詳細画面６０５は、タブ紙耳幅表示６０６と入力キー６０７と設定確定ボタン６０８から構成している。タブ紙印刷設定の詳細画面６０５からユーザがタブ紙耳幅表示６０６と入力キー６０７を使ってタブの設定を入力するのを検出する。そして本体制御部２０２は画像形成装置１０６のスキャン部２０１で読み取られて原稿をタブ紙の耳部に合わせて印刷するために、原稿画像を加工するための情報として保持する。ユーザによって設定確定キー６０８が押されたのを検出すると本体制御部２０２は操作部２０５の画面を図６（ｄ）のタブ紙耳順登録設定の詳細画面に移動する。
【００２３】
図６（ｄ）はタブ紙耳順設定を示す図である。タブ紙耳順設定の詳細画面６０９は、タブ紙設定済給紙段の表示６１０、選択可能なタブ紙の表示６１１、選択ボタン６１２、設定確定ボタン６１３から構成している。タブ紙耳順設定の詳細画面６０９では、印刷に利用するタブ紙の種類を選択するための画面である。本体制御部２０２は、画像形成装置１０６内に保持されているタブ紙の情報をタブ紙設定済給紙段の表示６１０と選択可能なタブ紙の表示６１１として表示する。ユーザによって選択ボタン６１２が押されたのを検出すると、本体制御部２０２は、選択されたタブ紙の耳順を確定する。そして本体制御部２０２は、設定確定キー６１３を押されたのを検出すると登録を終了する。そして前記操作部２０５のスタートキー３０２が押されたのを検出すると、画像形成装置１０６はタブ紙印刷を開始する。もし選択したタブ紙が画像形成装置１０６内に無かった場合、選択ボタン６１２を押されたのを検出すると本体制御部２０２は操作部２０５の画面を図７の用紙なし表示の詳細画面に移動する。
【００２４】
図７は用紙なし表示を示す図である。用紙なし表示の詳細画面７０１は、給紙段ユニット情報表示ボタン７０２と、設定確定ボタン７０３から構成している。用紙なし表示の詳細画面７０１は、ユーザに画像形成装置１０６内に保持されている用紙情報のすべてを表示する。画像形成装置１０６内に代替可能な用紙があり、ユーザが代替用紙としてそれを利用するために給紙段ユニット情報表示ボタン７０２選択したことを検出したとき、本体制御部２０２は給紙段情報を書換えて、給紙段ユニットを変更して印刷を継続する。
【００２５】
［タブ紙判定処理］
図８はタブ紙判定処理を示す図である。本体制御部２０２は図６（ｄ）で選択ボタン６１２の自動判定が選択されたのを検出すると、タブ紙に印刷するデータの綴じ位置８０１と画像の向き８０２を検出する。本体制御部２０２は検出したデータからそれぞれの位置関係を検出し比較する。用紙に対して綴じ位置が左側で画像が縦向きの場合および綴じ位置が下側で画像が横向きの場合は、本体制御部２０２は降順型タブ紙束を使うように画像形成装置１０６に指示する。また用紙に対して綴じ位置が上側で画像が横向きの場合および綴じ位置が右側で画像が縦向きの場合は、本体制御部２０２は昇順型タブ紙束を使うように画像形成装置１０６に指示する。
【００２６】
［本発明の第１の制御処理手順を表すフローチャート］
図９〜図１１を用いて、本発明の画像形成装置システムの第１の制御処理手順を表すフローチャートを説明する。
【００２７】
図９はタブ紙情報を画像形成装置１０６に登録する手順を示すフローチャートである。本体制御部２０２は、ユーザがタブ紙の情報を操作部２０５から入力するのを待つ（Ｓ９０１）。入力の開始が検出されたならば、本体制御部２０２は登録に必要な情報入力画面を操作部２０５に表示する（Ｓ９０２）。登録に必要な情報がすべて入力されたならば、本体制御部２０２は情報登録を終了する（Ｓ９０３）。
【００２８】
図１０はユーザのタブ紙印刷の指示を受信したときの処理手順を示すフォローチャートである。ユーザが画像形成装置１０６のスキャン部２０１から原稿を読みこませたのを検出すると、本体制御部２０２は原稿を画像データとして取り込み、記憶装置に保持する（Ｓ１００１）。続いて本体制御部２０２は操作部２０５から入力される印刷設定情報を取得し、記憶装置に保持する（Ｓ１００２）。もし印刷設定情報にタブ紙印刷の命令が含まれていないことを本体制御部２０２が検出したならば（Ｓ１００３）、本体制御部２０２は通常の用紙を使った印刷の準備をする（Ｓ１００４）。もし印刷設定情報にタブ紙印刷の命令が含まれていたならば、本体制御部２０２は印刷に使用するタブ紙の種類を印刷設定情報から判断する（Ｓ１００５）。タブ紙耳順設定の詳細画面１３０１で設定されたタブの耳順設定が「昇順」であるならば、本体制御部２０２は昇順タブ紙を使った印刷の準備をする（Ｓ１００６）。またタブの耳順設定が「降順」であるならば本体制御部２０２は降順タブ紙を使った印刷の準備をする（Ｓ１００７）。タブの耳順設定が「自動選択」であるならば、本体制御部２０２はＳ１００１で保持した画像の向きとＳ１００２で保持した印刷用紙の綴じ位置情報からタブ紙の種類を決定し、昇順タブ紙給紙か降順タブ紙給紙を使った印刷の準備をする（Ｓ１００８）。そして本体制御部２０２は画像形成装置１０６内に印刷に使用する用紙があるか否かを判定し（Ｓ１００９）、もし印刷に使用する用紙がなければ、用紙がないメッセージをユーザに表示する用紙補給処理を行う（Ｓ１０１０）。印刷に使用する用紙が揃ったならば印刷を開始する（Ｓ１０１１）。これによってユーザの設定もしくは原稿画像に合わせたタブ用紙の選択ができるようになるため図１１の出力結果となる。
【００２９】
（実施例２）
［ＰＤＬ印刷におけるタブ紙印刷設定］
図１２〜図１４を用いて実施例２のＰＤＬ印刷におけるタブ紙印刷設定について説明する。
【００３０】
図１２は、クライアント環境１０４におけるプリンタ印刷設定を示す図である。設定画面１２０１は使用するタブ紙の耳数設定１２０２と挿入用紙種設定１２０３、挿入用紙サイズ設定１２０４、挿入用紙の印刷向きの設定１２０５、印刷に使用するタブ紙の種類１２０６がある。またタブ紙耳部の挿入位置情報設定１２０７、タブ紙耳部の印字テキスト入力欄１２０８、タブ紙耳部のテキスト設定１２０９から構成している。設定画面１２０１はエンドユーザ環境Ａ  １０４のクライアントＰＣ上で動作し、ユーザが設定画面１２０１上で選択された項目を、印刷データに変換にして画像形成装置１０６に送信する。使用するタブ紙の耳数設定１２０２と挿入用紙種設定１２０３、挿入用紙サイズ設定１２０４、挿入用紙の印刷向きの設定１２０５、印刷に使用するタブ紙の種類１２０６は、印刷に使用するタブ紙の詳細設定であり、この詳細設定を受信した画像形成装置１０６は本体制御部２０２に印刷設定情報として情報を伝達する。
【００３１】
図１３はプリンタ出力方式におけるタブ紙印刷を示すフローチャートである。ユーザがエンドユーザ環境Ａ  １０４のクライアントＰＣからデータを送信し、画像形成装置１０６はそれを受信する（Ｓ１３０１）。画像形成装置１０６は受信したＰＤＬデータを本体制御部２０２に送り、本体制御部２０２はＲａｓｔｅｒｉｚｅ  Ｉｍａｇｅ  Ｐｒｏｃｅｓｓｉｎｇ処理（以下、ＲＩＰ処理と記す）を行う（Ｓ１３０２）。ＲＩＰ処理にて得られた印刷設定情報を取得し、記憶装置に保持する（Ｓ１３０４）。そして本体制御部２０２は１ページずつ印刷処理を始める。まず始めに本体制御部２０２はタブ紙印刷の命令の有無を検索する（１９０４）。もしタブ紙印刷の命令が含まれていないことを本体制御部２０２が検出したならば、本体制御部２０２は通常の用紙を使った印刷の準備をする（Ｓ１００４）。もし印刷設定情報にタブ紙印刷の命令が含まれていたならば、本体制御部２０２は印刷に使用するタブ紙の種類を印刷設定情報から判断する（Ｓ１００５）。タブ紙耳順設定の詳細画面１３０１で設定されたタブの耳順設定が「昇順」であるならば、本体制御部２０２は昇順タブ紙を使った印刷の準備をする（Ｓ１００６）。またタブの耳順設定が「降順」であるならば本体制御部２０２は降順タブ紙を使った印刷の準備をする（Ｓ１００７）。タブの耳順設定が「自動選択」であるならば、本体制御部２０２はＳ１３０２で保持した画像の向きとＳ１３０３で保持した印刷用紙の綴じ位置情報からタブ紙の種類を決定し、昇順タブ紙給紙か降順タブ紙給紙を使った印刷の準備をする（Ｓ１００８）。そして本体制御部２０２は画像形成装置１０６内に印刷に使用する用紙があるか否かを判定し（Ｓ１００９）、もし印刷に使用する用紙がなければ、用紙がないメッセージをユーザに表示する用紙補給処理を行う（Ｓ１０１０）。印刷に使用する用紙が揃ったならば印刷を開始する（Ｓ１０１１）。本体制御部２０２は印刷が終了すると次のページの有無判定を行い、ページが有ればＳ１３０２に戻り処理を繰り返す。もしページが無ければ終了する（Ｓ１３０５）。これによってＰＤＬ印刷時においてもユーザの設定もしくは原稿画像に合わせたタブ用紙の選択ができるようになるため図１４の出力結果となる。
【００３２】
（実施例３）
［複写モードにおけるタブ紙差込印刷設定］
図１５（ａ）は応用印刷設定２を示す図である。応用印刷設定の詳細画面２は応用モード画面６０３と差込印刷設定キー１５０１から構成している。
【００３３】
差込印刷設定キー１５０１が選択されたことを本体制御部２０２が検出すると、本体制御部２０２は画像形成装置１０６に印刷をしないタブ紙の用紙差込みを行う。差込印刷設定キー１５０１が押されたことが検出されると、本体制御部２０２は操作部２０５の画面を図１５（ｂ）のタブ紙差込印刷設定一覧に移動する。
【００３４】
図１５（ｂ）はタブ紙差込設定一覧を示す詳細画面である。タブ紙差込設定一覧の画面１５０２は、追加・削除・編集ボタン１５０３と差込一覧１５０４と設定確定ボタン１５０５から構成している。タブ紙差込設定の詳細画面１５０２からユーザが追加・削除・編集ボタン１５０３を使ってタブの設定を入力するのを検出すると、本体制御部２０２は、操作部２０５の画面を図１５（ｃ）のタブ紙差込登録設定の詳細画面に移動する。
【００３５】
図１５（ｃ）はタブ紙差込詳細設定を示す図である。タブ紙差込詳細設定の画面１５０６は、用紙差込位置表示１５０７と差込用紙給紙段設定ボタン１５０８と設定確定ボタン１５０９から構成している。操作部２０５からユーザが用紙差込位置表示１５０７に差込位置情報を入力したのを本体制御部２０２が検出すると、本体制御部２０２は用紙差込位置表示１５０７を差込位置情報として保持する。そして操作部２０５から差込用紙給紙段設定ボタン１５０８を使ってユーザが差込用紙を給紙する給紙段ユニットを選択したのを本体制御部２０２が検出すると、本体制御部２０２は差込用紙給紙段情報として保持する。本体制御部２０２は、設定確定キー１５０９を押されたのを検出すると登録を終了する。そして前記操作部２０５のスタートキー３０２が押されたの本体制御部２０２が検出すると、画像形成装置１０６はタブ紙差込印刷を開始する。前記差込位置情報で登録された位置に印刷が進むと、前記差込用紙給紙段情報に従い本体制御部２０２はタブ紙を挿入指示を出し、画像形成装置１０６は所定の給紙段ユニットから用紙を給紙する。
【００３６】
図１６はユーザのタブ紙差込印刷の指示を受信したときの処理手順を示すフォローチャートである。ユーザが画像形成装置１０６のスキャン部２０１から原稿を読みこませたのを検出すると、本体制御部２０２は原稿を画像データとして取り込み、記憶装置に保持する（Ｓ１００１）。続いて本体制御部２０２は操作部２０５から入力される印刷設定情報を取得し、記憶装置に保持する（Ｓ１００２）。もし印刷設定情報にタブ紙差込の命令が含まれていないことを本体制御部２０２が検出したならば（Ｓ１６０１）、本体制御部２０２は通常の用紙を使った印刷の準備をする（Ｓ１００４）。もし印刷設定情報にタブ紙差込命令が含まれていたならば、本体制御部２０２は差込するタブ紙の種類を印刷設定情報から決定する（Ｓ１００５）。タブ紙耳順設定の詳細画面１３０１で設定されたタブの耳順設定が「昇順」であるならば、本体制御部２０２は昇順タブ紙の給紙準備をする（Ｓ１００６）。またタブの耳順設定が「降順」であるならば本体制御部２０２は降順タブ紙の給紙準備をする（Ｓ１００７）。タブの耳順設定が「自動選択」であるならば、本体制御部２０２はＳ１００１で保持した画像の向きとＳ１００２で保持した情報を取りだす。タブ紙差込はタブ紙自体には印刷を行わず未印刷のタブ紙を出力物に画像形成装置１０６が差し込む動作であるため、印刷ジョブ全体の画像から画像向きを判断する。印刷用紙の綴じ位置情報からタブ紙の種類を決定し、昇順タブ紙給紙か降順タブ紙給紙を使った差込の準備をする。そして本体制御部２０２は画像形成装置１０６内に印刷・差込に使用する用紙があるか否かを判定し（Ｓ１００９）、もし印刷・差込に使用する用紙がなければ、用紙がないメッセージをユーザに表示する用紙補給処理を行う（Ｓ１０１０）。印刷・差込に使用する用紙が揃ったならば印刷を開始する（Ｓ１０１１）。本体制御部２０２は印刷・差込が終了すると次のページの有無判定を行い、ページが有ればＳ１６０１に戻り処理を繰り返す。もしページが無ければ終了する（Ｓ１６０３）。これによってタブ紙差込印刷時においてユーザの設定もしくは原稿画像に合わせたタブ用紙の差込ができるようになるため図１７の出力結果となる。
【図１】
0005627228.tif 000002
【図２】
0005627228.tif 000003
【図３】
0005627228.tif 000004
【図４】
0005627228.tif 000005
【図５】
0005627228.tif 000006
【図６】
0005627228.tif 000007
【図７】
0005627228.tif 000008
【図８】
0005627228.tif 000009
【図９】
0005627228.tif 000010
【図１０】
0005627228.tif 000011
【図１１】
0005627228.tif 000012
【図１２】
0005627228.tif 000013
【図１３】
0005627228.tif 000014
【図１４】
0005627228.tif 000015
【図１５】
0005627228.tif 000016
【図１６】
0005627228.tif 000017
【図１７】
0005627228.tif 000018